(57)【要約】【課題】前位置と後位置との間で長手方向に移動させるフレーム（１８）及び遊底（１２）を有するピストル用のフレーム構造。しかしこのフレーム構造は、フレームから取り外し可能でもある。フレームの側面の凹部（３９）は、フレーム内の側面開口部（４０）を通じてアクセス可能である撃鉄引き金機構（２６，３８）を有する。薄いサイドプレート（４２）が、側面開口部上に落ちてフランジ（５０）によってこの側面開口部の側面縁部及び側縁部で保持される。このサイドプレートは、フレーム内の溝に一致し遊底によって上部で一定に保持される。このサイドプレートは、従来の方法で遊底を取り外した後にこのサイドプレート内の指用のカットアウト（４８）を使用して上方に摺動されて取り外され得る。
2006502372.tif 000002
【特許請求の範囲】
【請求項１】
平坦な上面で終端する側面を有し、前位置と後位置との間で長手方向に移動される遊底を有し、この遊底はフレームの上面に対して平行にかつ摺動可能に横切って延在する平坦な底面を規定し、遊底はフレームから取り外し可能であり、弾薬を受けるための銃身を有し、弾薬をたたくために遊底内に長手方向に移動可能な撃針を有し、撃針をたたくために配置された撃鉄を有し、引き金を有し、及び引き金が引かれた時に撃鉄を解放するために配置された撃鉄引き金機構を有するフレーム付きの形式のピストル用の改良したフレーム構造において、
フレームは、このフレームの上面で開始して側面開口部に面するこのフレームの側面内の凹部を規定する側面開口部を有し、
撃鉄引き金機構は、凹部内に配置されかつ側面開口部を通じてアクセス可能であり、
側面開口部を覆うために配置されたサイドプレートを有し、及び遊底が前位置と後位置との間で長手方向に移動する時に、サイドプレートが、遊底の平坦な底面によって一定に保持されるように配置された平坦な上面を有し、遊底は、フレームから取り外し可能であってこの遊底が取り外される時にサイドプレートを解放することを特徴とする改良したフレーム構造。
【請求項２】
サイドプレート及びフレームの開口部は、このサイドプレートの上向きの移動だけを可能にするために配置された一致するインターロック縁部を有し、この場合、遊底が前位置と後位置との間の長手方向に移動する時に、遊底の平坦な底面が、このサイドプレートの上向きの移動を阻止することを特徴とする請求項１に記載の改良したフレーム構造。
【請求項３】
サイドプレートは、フランジを規定する側面縁部及び底縁部をそれぞれ有し、この場合、側面開口部は、１本の溝を規定する複数の側面縁部及び１つの底縁部をそれぞれ有し、配置され寸法決めされたこのフランジ及びこの溝は、フレームに対する上向きの移動に逆らって保持することを特徴とする請求項２に記載の改良したフレーム構造。
【請求項４】
サイドプレートの底縁部は、遊底が前もって取り外された後にサイドプレートを上向きの方向に移動させてこのサイドプレートを取り外すために使用するカットアウトを提供するために中断されていることを特徴とする請求項２に記載の改良したフレーム構造。
【請求項５】
側面縁部間のサイドプレートの長さは、ピストルの引き金と撃鉄との間の距離にほぼ等しいことを特徴とする請求項１に記載の改良したフレーム構造。
【発明の詳細な説明】
【技術分野】
【０００１】
本発明は、ピストル用の改良したフレーム構造に関する。さらに特に本発明は、フレーム上で長手方向に移動可能な遊底及びピストルを操作するためのフレーム内の撃鉄引き金機構を有する形式のピストル用の改良したフレーム構造に関する。
【背景技術】
【０００２】
ピストル、特に自動装填又は自動ピストルは、外部撃鉄を有する。この外部撃鉄は、後方でコックされ、逆鉤に係合され、次いで引き金を強く引くことによって急に外され得る。この引き金は、結合によってこの逆鉤に係合し、撃鉄に対するその係合を解放する（シングルアクション発射）。この代わりに、撃鉄を解放のために後方に引いてこの撃鉄を最初にコックすることなしに引き金を強く引くことによって撃発してもよい。このことは、上述した目的のために撃鉄を引き金に係合させる結合システムによって実施される；撃鉄が逆鉤によって係合され得る前に、撃鉄を後方に引いてこの撃鉄を解放する（ダブルアクション発射）。
【０００３】
本発明は、上述した方法で機能するピストルに関する。このピストルは、多くの場合にフレーム内の弾倉の後の領域内に位置決めされたハンマースプリングを有し、シングルアクション発射及びダブルアクション発射を実施するため様々な要素から構成される。熟練した銃工以外の者がこれらの機構に関与することは従来では薦められない。何故なら、これらの機構は複雑であり、かつ、不適切な組み立て又は分解が非常に起こりやすいからである。ピストルの撃鉄引き金機構又は動作にアクセスできるようにするため、多くの場合、工具がピストルを分解するために要求される。本発明は、機械工の素質がある者が容易に理解できる基本要素でこれらの同じ目標を達成することによってこれらの事項に取り組み及び工具の必要なしに撃鉄引き金機構への容易なアクセスを可能にする。
【発明の開示】
【発明が解決しようとする課題】
【０００４】
本発明の１つの課題は、ピストル用の撃鉄引き金機構に対するアクセスを提供する簡略化されたフレーム構造を提供することにある。
【０００５】
本発明の別の課題は、工具の必要なしにピストルの動作に対するアクセスを提供する簡略化された構造を提供することにある。
【０００６】
本発明の別の課題は、撃鉄引き金機構のクリーニング又は修理を簡単にする以改良したフレーム構造を提供することにある。
【課題を解決するための手段】
【０００７】
平坦な上面を備えたフレームを有し、銃身に対して前位置と後位置との間で長手方向に移動される遊底を有し、この遊底はフレームの上面に対して平行に延在する平坦な底面を規定し、遊底はフレームから取り外し可能であり、弾薬を受けるための遊底内に配置された銃身を有し、弾薬をたたくために遊底内に長手方向に摺動可能な撃針を有し、撃針をたたくために配置された撃鉄を有し、引き金を有し、及び引き金が引かれた時に撃鉄を解放するために配置された撃鉄引き金機構を有するフレーム付きの形式のピストル用の改良したフレーム構造にあって、この改良は、フレームの上面で開始してフレームの側面内の凹部を規定する遊底の下の側面開口部を有し、撃鉄引き金機構が凹部内に配置されかつ側面開口部を通じてアクセス可能であり、側面開口部を覆うために配置されたサイドプレートを有し、サイドプレートとフレームの開口部とは、このサイドプレートの上向きの移動だけを可能にするために配置された一致するインターロック手段を有し、及び遊底が前位置と後位置との間で長手方向に移動する時に、サイドプレートが、遊底の平坦な底面によって上向きの移動に対して保持されるように配置された平坦な上面を有し、遊底は、フレームから取り外し可能であってこの遊底が取り外される時にサイドプレートを上向きの移動に対して解放する。
【発明を実施するための最良の形態】
【０００８】
図１を参照すると、本発明は、（図示しなかった）スプリング装填される弾薬の弾倉を使用しかつ弾薬１４が撃発される時に（図示しなかった）リコイル・スプリングに逆らって前方位置から後方位置に運動するために適合された往復運動する遊底１２を有する方式の半自動ピストル１０の実施の形態として説明されている。この分野で周知の方法で、薬莢１４が、後退運動の間に排出され、新しい弾薬が、戻る前方運動の間に抜き取る人によって弾倉から取り出されて銃身１６の内腔に装填される。遊底１２は、フレーム１８上のトラックに沿って往復運動可能である。撃鉄２０は、フレーム１８上に回転可能に搭載されていて撃針２２をたたく。弾薬１４の背面をたたくように、この撃針２２は、遊底１２内で長手方向に摺動可能である。引き金２４は、フレーム内に回転可能に搭載されていて、押すか又は引くためトランスファー・バー２６に連結されている。遊底１２は、カム面２８を有する。トランスファー・バーが、引き金２４によって長手方向に押されるか又は引かれる時に、カム面２８は、第１フィンガー３０に連動してこのトランスファー・バー２６の端部を上げるか又は下げる。これらの要素のリストは、撃鉄引き金機構又は動作に対して従来の技術で公知の構成を示す。その他の形式の撃鉄引き金機構又は動作も公知である。あらゆる形式の撃鉄引き金機構が、本発明に対して適用可能であるので、これらの詳細は問題ではない。本発明は、撃鉄引き金機構に対する簡単なアクセスを可能にするフレーム構造の改良に関する。
【０００９】
図２中には、平坦な底面３６，３７を有する遊底１２の底面が示されている。図３中には、遊底１２を外したフレーム１８の上面が示されている。フレーム１８は、平坦な上面３２，３４を有する。遊底１２の平坦な面３６，３７は、長手方向に延在しかつフレーム１８の平坦な上面３２，３４に対して平行である。
【００１０】
図３は、フレームの凹部３９内に配置された撃鉄２０及び引き金２４を示す。撃鉄引き金機構は、本発明の構成要素でないトランスファー・バー２６，逆鉤３８，その他のピン及び結合部を有する。図４は、図３中に示されたのと同じ要素を有する撃鉄引き金機構をフレームなしで示す。
【００１１】
本発明によれば、図４の撃鉄引き金機構は、凹部３９内に配置されている。凹部３９は、フレーム１８の側面でカットされた側面開口部４０を通じてアクセス可能である。撃鉄引き金機構の要素は、クリーニング及び／又は修理のために側面開口部４０を通じてアクセスされ取り外される。側面開口部４０は、図５中に示されたサイドプレート４２によって閉ざされ遮蔽される。
【００１２】
サイドプレート４２は、図６，７，８中に側面開口部４０と同じ形を有する薄い金属板として示されている。図６中に示したように、上縁部４４は平坦な面を有する。図７中に示された横底縁部４６は、研磨されて横底縁部４６の周りに延在している狭いフランジ５０を残す。このフランジは、カットアウト４８によって中断されている。底の平坦面を示す図８は、小さいフランジ５０を示す。
【００１３】
図３を参照すると、サイドプレート４２は、凹部３９に至る側面開口部４０を覆っている。側面開口部４０の底部及び側面は、１本の溝でカットアウトされてサイドプレート４２の底部及び側縁部に一致しフランジ５０を受ける。したがって一致するインターロック縁部は、側面開口部４０の上面以外はサイドプレート４２及びフレームの上向きの移動だけを可能にする。サイドプレート４２がフレーム内にある時に、その上の平坦な縁部４４が、このフレームの上の平坦面３２，３３と同一平面になって遊底１２によって定位置に保持される。
【００１４】
遊底１２は、当業者に周知の方法で遊底固定ピンを取り外すことによってフレーム１８から取り外し可能である。遊底が取り外されている時に、工具の補助なしにサイドプレート内のカットアウト４８の助けによって、サイドプレート４２を上方に移動してもよい。この方法では、工具なしに取り外し可能なサイドプレートを通じてフレームの側面から撃鉄引き金機構にアクセスすることが、この形式の従来の技術のピストルよりも実質的に有益な利点を提供する。
【００１５】
ここでは本発明の好適な実施の形態を説明したが、当業者は、その他の実施の形態も考えられる。全てのこのような実施の形態を本発明の範囲内で守ることが望ましい。
【図面の簡単な説明】
【００１６】
【図１】一部を切断した半自動ピストルの側面図である。
【図２】ピストルの遊底の底面図である。
【図３】ピストルのフレームの上面図である。
【図４】撃鉄引き金機構の主要部の上面図である。
【図５】サイドプレートの位置を示すピストルの側面図である。
【図６】本発明で使用されるサイドプレートの上面図である。
【図７】本発明で使用されるサイドプレートの側面図である。
【図８】本発明で使用されるサイドプレートの底面図である。
【符号の説明】
【００１７】
１２  遊底
１４  弾薬
１６  銃身
１８  フレーム
２０  撃鉄
２２  撃針
２４  引き金
２６  トランスファー・バー
２８  カム面
３０  第１フィンガー
３２  上面
３４  上面
３６  底面
３７  底面
３８  逆鉤
３９  凹部
４０  側面開口部
４４  上縁
【図１】
2006502372.tif 000003
【図２】
2006502372.tif 000004
【図３】
2006502372.tif 000005
【図４】
2006502372.tif 000006
【図５】
2006502372.tif 000007
【図６】
2006502372.tif 000008
【図７】
2006502372.tif 000009
【図８】
2006502372.tif 000010
【国際調査報告】
2006502372.tif 000011